【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
無線通信ネットワークにおいて動作可能な加入者ステーションのハンドオーバ制御を提供する方法であって、
複数の移行イベント中に前記無線通信ネットワークに係る複数のノードの２つのノードの間を移行する加入者ステーションによる前記複数の移行イベントをある期間内にモニタするステップと、
前記期間内にモニタされた前記複数の移行イベントが所定の閾値を超えたと判断するステップと、
前記複数の移行イベントに係る移行イベント情報を有するローミング管理リクエストを生成するステップと、
前記無線通信ネットワークに係る前記複数のノードのノードが前記加入者ステーションによるさらなる移行イベントを減少させるよう前記ノードの１以上のコンフィギュレーションを調整することを可能にするため、前記ローミング管理リクエストを前記ノードに送信するステップと、
を有する方法。
【請求項２】
前記ノードからローミング管理レスポンスを受信するステップをさらに有し、
前記ローミング管理レスポンスは、さらなる移行イベントを減少させるための前記加入者ステーションのコンフィギュレーション情報を含む、請求項１記載の方法。
【請求項３】
前記ローミング管理リクエストを生成するステップは、前記複数の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成することを含む、請求項１記載の方法。
【請求項４】
前記移行イベント情報を生成するため、前記複数の移行イベントのそれぞれに係る情報を記録するステップをさらに有する、請求項１記載の方法。
【請求項５】
前記ローミング管理リクエストを生成する前、前記加入者ステーションのローミングヒステリシスを増大させるステップをさらに有する、請求項１記載の方法。
【請求項６】
前記送信するステップは、ＷＬＡＮに係るアクセスポイント、ＷＭＡＮに係る基地局、ＷＷＡＮに係る基地局又は無線メッシュネットワークに係る他の加入者ステーションの少なくとも１つに前記ローミング管理リクエストを送信することを有する、請求項１記載の方法。
【請求項７】
前記加入者ステーションと通信中のノードからのローミング管理レスポンスのコンフィギュレーション情報に基づき前記加入者ステーションのハンドオーバを減少させるため前記加入者ステーションの１以上のコンフィギュレーションを調整するステップをさらに有し、
前記コンフィギュレーション情報は、送信電力、ローミングヒステリシス、受信感度、クリアチャネル評価又はローミング候補の少なくとも１つに係る情報を有する、請求項１記載の方法。
【請求項８】
アクセス時にマシーンに、
複数の移行イベント中に無線通信ネットワークに係る複数のノードの２以上のノードの間を移行する加入者ステーションによる前記複数の移行イベントをある期間内にモニタするステップと、
前記期間内にモニタされた前記複数の移行イベントが所定の閾値を超えたと判断するステップと、
前記複数の移行イベントに係る移行イベント情報を有するローミング管理リクエストを生成するステップと、
前記無線通信ネットワークに係る前記複数のノードのノードが前記加入者ステーションによるさらなる移行イベントを減少させるよう前記ノードの１以上のコンフィギュレーションを調整することを可能にするため、前記ローミング管理リクエストを前記ノードに送信するステップと、
を実行させるコンテンツを有する製造物。
【請求項９】
前記コンテンツは、アクセス時に前記マシーンに、前記ノードからローミング管理レスポンスを受信するステップをさらに実行させ、
前記ローミング管理レスポンスは、さらなる移行イベントを減少させるための前記加入者ステーションのコンフィギュレーション情報を含む、請求項８記載の製造物。
【請求項１０】
前記ローミング管理リクエストを生成するステップはさらに、前記複数の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成することを含む、請求項８記載の製造物。
【請求項１１】
前記コンテンツは、アクセス時に前記マシーンに、前記移行イベント情報を生成するため、前記複数の移行イベントのそれぞれに係る情報を記録するステップをさらに実行させる、請求項８記載の製造物。
【請求項１２】
前記コンテンツは、アクセス時に前記マシーンに、前記ローミング管理リクエストを生成する前、前記加入者ステーションのローミングヒステリシスを増大させるステップをさらに実行させる、請求項８記載の製造物。
【請求項１３】
前記ローミング管理リクエストを送信するステップは、ＷＬＡＮに係るアクセスポイント、ＷＭＡＮに係る基地局、ＷＷＡＮに係る基地局又は無線メッシュネットワークに係る他の加入者ステーションの少なくとも１つに前記ローミング管理リクエストを送信することを有する、請求項８記載の製造物。
【請求項１４】
前記コンテンツは、アクセス時に前記マシーンに、前記加入者ステーションと通信中のノードからのローミング管理レスポンスのコンフィギュレーション情報に基づき前記加入者ステーションのハンドオーバを減少させるため前記加入者ステーションの１以上のコンフィギュレーションを調整させ、
前記コンフィギュレーション情報は、送信電力、ローミングヒステリシス、受信感度、クリアチャネル評価又はローミング候補の少なくとも１つに係る情報を有する、請求項８記載の製造物。
【請求項１５】
複数の移行イベント中に無線通信ネットワークに係る複数のノードの２以上のノードの間を移行する加入者ステーションによる前記複数の移行イベントをある期間内にモニタする移行モニタと、
前記移行モニタに動作接続され、前記期間内の前記複数の移行イベントが所定の閾値を超えたと判断すると、前記複数の移行イベントに係る移行イベント情報を有するローミング管理リクエストを前記加入者ステーションにおいて生成するリクエスト生成手段と、
前記リクエスト生成手段に動作接続され、前記無線通信ネットワークに係る前記複数のノードのノードが前記加入者ステーションによるさらなる移行イベントを減少させるよう前記ノードの１以上のコンフィギュレーションを調整することを可能にするため、前記ローミング管理リクエストを前記ノードに送信するネットワークインタフェース装置と、
を有する装置。
【請求項１６】
前記ネットワークインタフェース装置は、前記ノードからローミング管理レスポンスを受信するよう構成され、
前記ローミング管理レスポンスは、さらなる移行イベントを減少させるための前記加入者ステーションのコンフィギュレーション情報を含む、請求項１５記載の装置。
【請求項１７】
前記リクエスト生成手段は、前記複数の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成するよう構成される、請求項１５記載の装置。
【請求項１８】
前記移行イベント情報を生成するため、前記複数の移行イベントのそれぞれに係る情報を記録するイベントレコーダをさらに有する、請求項１５記載の装置。
【請求項１９】
前記ローミング管理リクエストを生成する前に、前記加入者ステーションのローミングヒストリシスを増大させるコンフィギュレーション調整手段をさらに有する、請求項１５記載の装置。
【請求項２０】
前記ネットワークインタフェース装置は、ＷＬＡＮに係るアクセスポイント、ＷＭＡＮに係る基地局、ＷＷＡＮに係る基地局又は無線メッシュネットワークに係る他の加入者ステーションの少なくとも１つに前記ローミング管理リクエストを送信する、請求項１５記載の装置。
【請求項２１】
前記加入者ステーションと通信中のノードからのローミング管理レスポンスのコンフィギュレーション情報に基づき前記加入者ステーションのハンドオーバを減少させるため前記加入者ステーションの１以上のコンフィギュレーションを調整するコンフィギュレーション調整手段をさらに有し、
前記コンフィギュレーション情報は、送信電力、ローミングヒステリシス、受信感度、クリアチャネル評価又はローミング候補の少なくとも１つに係る情報を有する、請求項１５記載の装置。